(57)【要約】【課題】  従来技術の溶接電源装置では、出力端子間にブリーダ抵抗を設けて電流を流し出力電圧を安定させていたが、無負荷電圧が低下しアークのスタート性が低下する。【解決手段】  正と負の端子とを有する電源主回路と、主制御回路と、正端子に直列に接続される直流リアクトルと、直流リアクトルを出力側に接続する充電用スイッチング素子と、充放電コンデンサと、充放電コンデンサに接続する放電ダイオードと、出力端子間に接続するブリーダ抵抗と、を備えた溶接電源装置において、ブリーダ抵抗に直列接続する無負荷用スイッチを設け、溶接開始信号が入力すると、無負荷用スイッチを遮断し電源主回路の出力を開始すると共に溶接ワイヤの送給を開始し同時に充電用スイッチング素子を通電させて充放電コンデンサを充電し、充放電コンデンサの充電が完了する所定の遮断時間が経過すると無負荷用スイッチを通電にする、ことを特徴とする溶接電源装置である。【選択図】  図１
2014110710.tif 000002
【特許請求の範囲】
【請求項１】
商用交流電源を溶接に適した直流電圧へ変換して出力する正電圧端子と負電圧端子とを有する電源主回路と、前記電源主回路の出力電力を制御する主制御回路と、前記正電圧端子に直列に接続される直流リアクトルと、前記直流リアクトルを出力側に接続し充電電流を通電又は遮断する充電用スイッチング素子と、前記充電用スイッチング素子の出力側に正極端子を接続し前記負電圧端子に負極端子を接続する充放電コンデンサと、前記充放電コンデンサの正極端子にアノードを接続し前記直流リアクトルの出力側にカソードを接続し放電電流を通電する放電ダイオードと、前記直流リアクトルを出力側と前記電源主回路の負電圧端子との間に接続するブリーダ抵抗と、を備えた溶接電源装置において、
前記直流リアクトルの出力側と前記ブリーダ抵抗との間に無負荷用スイッチを設け、前記主制御回路は、溶接開始信号が入力されると、前記無負荷用スイッチを遮断状態にして前記電源主回路の出力を開始すると共に溶接ワイヤの送給を開始し、同時に前記充電用スイッチング素子を通電させて前記充放電コンデンサを充電し、前記充放電コンデンサの充電が完了する予め定めた遮断時間が経過すると前記無負荷用スイッチを通電にする、ことを特徴とする溶接電源装置。
【請求項２】
前記溶接ワイヤが被加工物に接触すると前記無負荷用スイッチを遮断から通電にする、ことを特徴とする請求項１記載の溶接電源装置。
【請求項３】
前記主制御回路は、前記溶接ワイヤが前記被加工物に接触しアーク電流が予め定めた電流基準値を超えたとき前記無負荷用スイッチを遮断から通電にする、ことを特徴とする請求項２記載の溶接電源装置。
【発明の詳細な説明】
【技術分野】
【０００１】
本発明は、溶接電源装置のアークスタート性に関するものである。
【背景技術】
【０００２】
従来では、出力電圧をフィードバック制御するとき溶接電源装置の出力端子間にブリーダ抵抗を設けて出力電圧の安定を図っていた。
【０００３】
図４に示す１次整流回路ＤＲ１及び平滑コンデンサＣ１で、商用交流電源ＡＣを全波整流及び平滑して直流電圧を出力する直流電源回路と、直流電圧を高周波交流電圧に変換して出力するインバータ回路ＩＮＶと、インバータ回路ＩＮＶによって変換された高周波交流電圧をアーク加工に適した高周波交流電圧に変換する主変圧器ＩＮＴと、主変圧器ＩＮＴからの出力を全波整流する２次整流回路ＤＲ２とで電源主回路を形成する。
【０００４】
直流リアクトルＤＬは、図４に示す電源主回路を形成する２次整流回路ＤＲ２の正側に直列接続し２次整流回路ＤＲ２からの全波整流を平滑して出力する。充電用スイッチング素子ＳＣＲは、入力側（アノード側）を直流リアクトルＤＬの出力側に接続して電流を通電する。充放電コンデンサＣ２は、充電用スイッチング素子ＳＣＲの出力側（カソード側）に正極端子を接続し、２次整流回路ＤＲ２の負電圧端子に負極端子を接続し、充電用スイッチング素子ＳＣＲを介して電荷を充電する。放電ダイオードＤ３は、充放電コンデンサＣ２の正極端子にアノードを接続し直流リアクトルＤＬの出力側にカソードを接続する。
【０００５】
図４に示す電圧検出回路ＶＤは、溶接電圧を検出して電圧検出信号Ｖｄとして出力する。電流検出回路ＩＤは、溶接電流を検出して電流検出信号Ｉｄとして出力する。主制御回路ＳＣは、電圧検出信号Ｖｄに応じてインバータ回路ＩＮＶを制御し、電流検出信号Ｉｄに応じて溶接ワイヤＷＷの送給速度を制御する。
【０００６】
図４に示すブリーダ抵抗Ｒ１は、直流リアクトルＤＬの出力側と２次整流回路ＤＲ２の負電圧端子との間に接続され、ブリーダ電流を流して出力電圧を安定させる。
【０００７】
図５は、従来技術の溶接電源装置の動作を説明する波形図である。
図４において、同図（Ａ）は、溶接開始信号Ｔｓを示し、同図（Ｂ）は、充電制御信号Ｓｃｒを示し、同図（Ｃ）は、出力電圧検出信号Ｖｄを示し、同図（Ｄ）は、充放電コンデンサＣ２の充電電圧を示し、同図（Ｅ）は、出力電流検出信号Ｉｄを示し、同図（Ｆ）は、溶接ワイヤＷＷと被加工物Ｍと距離Ｌｗを示す。
【０００８】
次に、図４及び図５を用いて従来技術の動作について説明する。
図５（Ａ）に示す時刻ｔ＝ｔ１において、溶接開始信号ＴｓがＨｉｇｈレベルになると、主制御回路ＳＣは、インバータ回路ＩＮＶを制御して同図（Ｃ）に示す出力電圧検出信号Ｖｄを出力する共に、送給モータＶＭを回転させて溶接ワイヤＷＷの送給が開始される。このとき、同図（Ｂ）に示す充電制御信号ＳｃｒもＨｉｇｈレベルになり、図３に示す充電用スイッチング素子（例えば、サイリスタ素子）ＳＣＲが通電し、充放電コンデンサＣ２は充電を開始し、同図（Ｄ）に示すように充電電圧が上昇する。このとき、図３に示すブリーダ抵抗Ｒ１により電流が流れると充放電コンデンサＣ２の充電が遅くなる、と共に無負荷電圧がブリーダ抵抗Ｒ１により平滑されて同図（Ｃ）に示す出力電圧検出信号Ｖｄの値（無負荷電圧）が低下する。そして、時刻ｔ＝ｔ３において、充放電コンデンサＣ２の充電が完了する。
【０００９】
図５（Ｆ）に示すように、時刻ｔ＝ｔ１から送給モータＶＭの回転により溶接ワイヤＷＷは被加工物Ｍに近づき距離Ｌｗは小さくなる。次に、同図（Ｂ）に示す充電制御信号Ｓｃｒは、所定時間Ｔ１が経過する時刻ｔ＝ｔ４において、ＨｉｇｈレベルからＬｏｗレベルになり、充電用スイッチング素子ＳＣＲは、通電から遮断になり充放電コンデンサＣ２の充電を停止する。
【００１０】
図５（Ｆ）に示すように、送給モータＶＭの回転によって溶接ワイヤＷＷは被加工物Ｍに近づき、ワイヤ先端と被加工物Ｍとの距離Ｌｗが零となり、時刻ｔ＝ｔ５において、溶接ワイヤＷＷと被加工物Ｍとが接触すると、同図（Ｄ）に示す充放電コンデンサＣ２の充電電圧は、急激に放電される。
【００１１】
時刻ｔ＝ｔ５〜ｔ６の充放電コンデンサＣ２の放電時間Ｔ３は、図５（Ｅ）に示すように、出力電流Ｉｏに充放電コンデンサＣ２からの放電電流が重畳する。この充放電コンデンサＣ２のように、溶接ワイヤＷＷが被加工物Ｍに接触した瞬間に充放電コンデンサＣ２か電流を放電してアークを発生させていた。例えば、特許文献１
【先行技術文献】
【特許文献】
【００１２】
【特許文献１】特開２００８−３１２３１４号公報
【発明の概要】
【発明が解決しようとする課題】
【００１３】
従来技術の溶接電源装置では、図６に示す、例えば、出力電流が５０Ａ以上では安定した定電圧制御を行うが、出力電流が、例えば、２０Ａ以下の小電流領域では定電圧制御が崩れて出力電圧が急激に増加しアークが不安定になる。この対策として出力端子間にブリーダ抵抗を設けてブリーダ電流を流し、例えば、出力電圧が図６に示す太線の電圧を越えないようにしていた。しかし、ブリーダ抵抗を設けると無負荷時の無負荷電圧が低下し、アークのスタート性が低下してしまう。
そこで、本発明では上記の課題を解決する溶接電源装置を供給することを目的とする。
【課題を解決するための手段】
【００１４】
上述した課題を解決するために、第１の発明は、商用交流電源を溶接に適した直流電圧へ変換して出力する正電圧端子と負電圧端子とを有する電源主回路と、前記電源主回路の出力電力を制御する主制御回路と、前記正電圧端子に直列に接続される直流リアクトルと、前記直流リアクトルを出力側に接続し充電電流を通電又は遮断する充電用スイッチング素子と、前記充電用スイッチング素子の出力側に正極端子を接続し前記負電圧端子に負極端子を接続する充放電コンデンサと、前記充放電コンデンサの正極端子にアノードを接続し前記直流リアクトルの出力側にカソードを接続し放電電流を通電する放電ダイオードと、前記直流リアクトルの出力側と前記電源主回路の負電圧端子との間に接続するブリーダ抵抗と、を備えた溶接電源装置において、
前記直流リアクトルの出力側と前記ブリーダ抵抗との間に無負荷用スイッチを設け、前記主制御回路は、溶接開始信号が入力されると、前記無負荷用スイッチを遮断状態にして前記電源主回路の出力を開始すると共に溶接ワイヤの送給を開始し、同時に前記充電用スイッチング素子を通電させて前記充放電コンデンサを充電し、前記充放電コンデンサの充電が完了する予め定めた遮断時間が経過すると前記無負荷用スイッチを通電にする、ことを特徴とする溶接電源装置である。
【００１５】
第２の発明は、前記溶接ワイヤが被加工物に接触すると前記無負荷用スイッチを遮断から通電にする、ことを特徴とする請求項１記載の溶接電源装置である。
【００１６】
第３の発明は、前記主制御回路は、前記溶接ワイヤが前記被加工物に接触しアーク電流が予め定めた電流基準値を超えたとき前記無負荷用スイッチを遮断から通電にする、ことを特徴とする請求項２記載の溶接電源装置である。
【発明の効果】
【００１７】
本発明では、溶接電源装置の出力端子間に無負荷用スイッチを介してブリーダ抵抗を接続し、溶接開始信号に応じて無負荷用スイッチを遮断し、出力端子間に接続したブリーダ抵抗を離脱させて無負荷電圧が高い状態で充放電コンデンサを充電させと充分に充電され、充電された後に無負荷用スイッチを通電させてブリーダ抵抗を出力端子間に接続させ、充放電コンデンサが充分に充電された状態で溶接ワイヤが被加工物に接触すると、放電電流の値が大きくなりアークのスタート性が向上する。
【図面の簡単な説明】
【００１８】
【図１】本発明の実施形態１に係る溶接電源装置の電気接続図である。
【図２】実施形態１の動作を説明する波形図である。
【図３】実施形態２、３の動作を説明する波形図である。
【図４】従来技術の溶接電源装置の電気接続図である。
【図５】従来技術の動作を説明する波形図である。
【図６】動作を説明する波形図である。
【発明を実施するための形態】
【００１９】
図１、図２を参照して本発明の実施形態１の動作について説明する。
図１は、本発明の実施形態１に係る溶接電源装置の電気接続図である。同図において、図４に示す従来技術の溶接電源装置の電気接続図と同一符号の構成物は、同一動作を行うので説明は省略し、符号の相違する構成物についてのみ説明する。
【００２０】
図１に示す出力制御回路ＳＣは、パルス周波数が一定でパルス幅を変調するＰＷＭ制御を行ない、出力電圧検出信号Ｖｄに応じて出力制御信号Ｓｃを出力し、出力電流検出信号Ｉｄに応じてモータ制御信号Ｓｄを出力する。そして、溶接開始信号ＴｓのＨｉｇｈレベルに応じて充電制御信号ＳｃｒをＨｉｇｈレベルにし、図２（Ｂ）に示す予め定めた時間Ｔ１の間、充電制御信号ＳｃｒをＨｉｇｈレベルにする。また、溶接開始信号ＴｓのＨｉｇｈレベルに応じて同図（Ｃ）に示す無負荷用スイッチ信号Ｓｗ１をＨｉｇｈレベルからＬｏｗレベルにする。
【００２１】
直流リアクトルＤＬは、入力側を図１に示す電源主回路の正電圧端子＋に接続し全波整流出力を平滑して出力する。充電用スイッチング素子ＳＣＲは、直流リアクトルＤＬの出力側にアノードを接続し、カソード側を充放電コンデンサＣ２に接続し、充電制御信号ＳｃｒのＨｉｇｈレベルに応じて充電用スイッチング素子ＳＣＲは通電し、充放電コンデンサＣ２を充電させる。放電ダイオードＤ３は、アノード側を充電用スイッチング素子ＳＣＲのカソード側に接続し、カソード側は直流リアクトルＤＬの出力側に接続し、溶接ワイヤＷＷと被加工物Ｍとが接触すると放電ダイオードＤ３を介して充放電コンデンサＣ２が放電する。
【００２２】
図１に示す直流リアクトルＤＬの出力側と電源主回路の負電圧端子−との間に直列接続して設けられた無負荷用スイッチＳＷ１とブリーダ抵抗Ｒ１とは、無負荷用スイッチ信号Ｓｗ１に応じて無負荷用スイッチＳＷ１を通電又は遮断する。また、無負荷用スイッチＳＷ１には、通常トランジスタを使用するが、ＦＥＴ、ＩＧＢＴ等の種々のスイチチング素子を使用してもよい。
【００２３】
図２は、本発明の溶接電源装置の動作を説明する波形図である。
図２において、同図（Ａ）は、溶接開始信号Ｔｓを示し、同図（Ｂ）は、充電制御信号Ｓｃｒを示し、同図（Ｃ）は、無負荷用スイッチ信号Ｓｗ１を示し、同図（Ｄ）は、出力電圧検出信号Ｖｄを示し、同図（Ｅ）は、充放電コンデンサＣ２の充電電圧Ｖｃを示し、同図（Ｆ）は、出力電流検出信号Ｉｄを示し、同図（Ｇ）は、溶接ワイヤＷＷと被加工物Ｍと距離Ｌｗを示し、同図（Ｆ）は、溶接電流検出信号Ｗｃｒを示す。
【００２４】
次に、図１及び図２を用いて動作について説明する。
図２（Ａ）に示す時刻ｔ＝ｔ１において、溶接開始信号ＴｓがＨｉｇｈレベルになると、図１に示す主制御回路ＳＣは、主制御信号Ｓｃを出力してインバータ回路ＩＮＶを駆動させると共に、モータ駆動信号Ｓｄを出力して送給モータＶＭを駆動させ溶接ワイヤＷＷの送給を開始させる。このとき、同図（Ｂ）に示す充電制御信号ＳｃｒもＨｉｇｈレベルになり、図１に示す充電用スイッチング素子（例えば、サイリスタ素子）ＳＣＲが通電し、充放電コンデンサＣ２は充電を開始し同図（Ｅ）に示す充電電圧Ｖｃが上昇する。
【００２５】
図２（Ａ）に示す時刻ｔ＝ｔ１において、溶接開始信号ＴｓがＨｉｇｈレベルになると、同図（Ｃ）に示す無負荷用スイッチ信号Ｓｗ１がＨｉｇｈレベルからＬｏｗレベルになり、無負荷用スイッチＳＷ１が遮断し、図１に示すブリーダ抵抗Ｒ１に流れるブリーダ電流が停止する。そして、充放電コンデンサＣ２の充電が充分完了する予め定めた時間Ｔ２の間、無負荷用スイッチ信号Ｓｗ１をＬｏｗレベルにし、時間Ｔ１が経過する時刻ｔ＝ｔ３のとき、無負荷用スイッチ信号Ｓｗ１をＨｉｇｈレベルにし、無負荷用スイッチＳＷ１を通電させる。
【００２６】
ブリーダ電流を停止した状態で充放電コンデンサＣ２を充電すると、充分に充電され出力電圧（無負荷電圧）は高くなる。例えば、ブリーダ電流が流れているときの無負荷電圧約６０Ｖに対して約７０Ｖになる。そして、時刻ｔ＝ｔ４において、同図（Ｂ）に示す充電制御信号ＳｃｒをＨｉｇｈレベルからＬｏｗレベルになり、充電用スイッチング素子ＳＣＲは通電から遮断し充放電コンデンサＣ２の充電は完了する。
【００２７】
図２（ｃ）に示す遮断時間Ｔ２が経過する時刻ｔ＝ｔ５において、無負荷用スイッチ信号Ｓｗ１がＬｏｗレベルからＨｉｇｈレベルになり、無負荷用スイッチＳＷ１が通電しブリーダ抵抗Ｒ１に流れるブリーダ電流が流れる。
【００２８】
図２（Ｇ）に示すように、送給によって溶接ワイヤＷＷは被加工物Ｍに次第に近づき、ワイヤ先端と被加工物Ｍとの距離Ｌｗが零となる時刻ｔ＝ｔ６において、溶接ワイヤＷＷと被加工物とが接触すると、高電圧に充電された充放電コンデンサＣ２が放電を開始する。このとき、既に、時刻ｔ＝ｔ５において、ブリーダ電流が流れているので無負荷電圧は若干低下する。また、この低下を抑制するには遮断時間Ｔ２を長くし、溶接ワイヤＷＷが被加工物Ｍに接触した後に無負荷用スイッチＳＷ１が通電するようにすればよい。
【００２９】
時刻ｔ＝ｔ６〜ｔ７の放電時間Ｔ３は、図２（Ｆ）に示すように、出力電流検出信号Ｉｄに充放電コンデンサＣ２から急峻な放電電流が重畳する。このように、溶接ワイヤＷＷが被加工物Ｍに接触した瞬間に急峻な放電電流が通電すると、溶接ワイヤの燃え上がりが大きくなりアークが発生しやすくなり、アークスタート性が向上する。
【００３０】
上述より、放電コンデンサＣ２の充電が完了する予め定めた遮断時間Ｔ２（時刻ｔ＝ｔ５）が経過すると無負荷用スイッチＳＷ１を通電にする。このとき、ワイヤ先端と被加工物Ｍとの距離Ｌｗが零となる時刻ｔ＝ｔ６より、若干はやい時刻ｔ＝ｔ５に無負荷用スイッチＳＷ１が通電にすると、図２（Ｄ）に示す出力電圧検出信号Ｖｄの無負荷電圧が若干低下するが、予め定めた遮断時間Ｔ２を時刻＝ｔ５より長い時刻ｔ＝ｔ６〜ｔ７の間にしてもよい。このとき、無負荷電圧の若干の低下は無くなる。
【００３１】
つぎに、図３を参照して本発明の実施形態２の動作について説明する。
図３において、同図（Ａ）は、溶接開始信号Ｔｓを示し、同図（Ｂ）は、充電制御信号Ｓｃｒを示し、同図（Ｃ）は、無負荷用スイッチ信号Ｓｗ１を示し、同図（Ｄ）は、出力電圧検出信号Ｖｄを示し、同図（Ｅ）は、充放電コンデンサＣ２の充電電圧Ｖｃを示し、同図（Ｆ）は、出力電流検出信号Ｉｄを示し、同図（Ｇ）は、溶接ワイヤＷＷと被加工物Ｍと距離Ｌｗを示し、同図（Ｆ）は、溶接電流検出信号Ｗｃｒを示す。
【００３２】
図３において、実施形態１と同一動作であり説明は省略し、相違する動作についてのみ説明する。
【００３３】
図３（Ａ）に示す時刻ｔ＝ｔ１において、溶接開始信号ＴｓがＨｉｇｈレベルになると、同図（Ｃ）に示す無負荷用スイッチ信号Ｓｗ１がＨｉｇｈレベルからＬｏｗレベルになり、無負荷用スイッチＳＷ１が遮断し、図１に示すブリーダ抵抗Ｒ１に流れるブリーダ電流が停止する。そして、ブリーダ電流を停止した状態で充放電コンデンサＣ２を充電すると、充分に充電され出力電圧（無負荷電圧）は高くなる。
【００３４】
図３（Ｇ）に示すように、送給によって溶接ワイヤＷＷは被加工物Ｍに次第に近づき、ワイヤ先端と被加工物Ｍとの距離Ｌｗが零となる時刻ｔ＝ｔ５において、溶接ワイヤＷＷと被加工物とが接触すると、無負荷用スイッチ信号Ｓｗ１がＬｏｗレベルからＨｉｇｈレベルになり、無負荷用スイッチＳＷ１が通電しブリーダ抵抗Ｒ１に流れるブリーダ電流が流れる。
【００３５】
溶接ワイヤＷＷと被加工物とが接触すると、高電圧に充電された充放電コンデンサＣ２が放電を開始する。このとき、放電開始直前まで無負荷電圧が高い電圧、例えば約７０Ｖを維持しているので、溶接ワイヤＷＷが被加工物Ｍに接触した瞬間に、高い無負荷電圧に加えて急峻な放電電流が通電するので、アークが発生しやすくなり、アークのスタート性が大きく向上する。
【００３６】
さらに、図３を参照して本発明の実施形態３の動作について説明する。
図３（Ａ）に示す時刻ｔ＝ｔ１において、溶接開始信号ＴｓがＨｉｇｈレベルになると、同図（Ｃ）に示す無負荷用スイッチ信号Ｓｗ１がＨｉｇｈレベルからＬｏｗレベルになり、無負荷用スイッチＳＷ１が遮断し、図１に示すブリーダ抵抗Ｒ１に流れるブリーダ電流が停止する。そして、ブリーダ電流を停止した状態で充放電コンデンサＣ２を充電すると、充分に充電され出力電圧（無負荷電圧）は高くなる。
【００３７】
図３（Ｇ）に示すように、送給によって溶接ワイヤＷＷは被加工物Ｍに近づき接触すると、高電圧に充電された充放電コンデンサＣ２が放電を開始する。そして、アークが発生した後に出力電流（アーク電流）が予め定めた電流基準値を超えたとき、無負荷用スイッチ信号Ｓｗ１がＬｏｗレベルからＨｉｇｈレベルになり、無負荷用スイッチＳＷ１が通電しブリーダ抵抗Ｒ１に流れるブリーダ電流が流れる。
また、図示省略のアーク発生中に出力電流（アーク電流）が電流基準値より低くなったとき、無負荷用スイッチ信号Ｓｗ１がＨｉｇｈレベルからＬｏｗレベルになり、無負荷用スイッチＳＷ１が遮断されブリーダ抵抗Ｒ１に流れるブリーダ電流が停止する。
【００３８】
図６に示す、出力電流が小電流領域（例えば、３０Ａ以下）では、アーク切れが起こりやすく、アーク切れに応じて図３（Ｃ）に示す無負荷用スイッチ信号Ｓｗ１がＨｉｇｈレベルからＬｏｗレベルになり、無負荷用スイッチＳＷ１が遮断しブリーダ抵抗Ｒ１に流れるブリーダ電流が停止するので、無負荷電圧がすばやく高くなり、アーク切れから再アークが発生しやすくなる。
【００３９】
次に、本実施形態の特徴的な効果を記載する。
（ａ）実施形態１、２では、溶接開始信号が入力されると、ブリーダ抵抗を離脱させた状態で電源主回路の出力を開始するので、溶接ワイヤが被加工物に接触するまでの無負荷電圧が高くなり、この高い無負荷電圧の状態で溶接ワイヤＷＷを被加工物Ｍに接触すると、急峻な放電電流が通電されるので溶接ワイヤの燃え上がりが良くなりアークのスタート性が良くなる。
（ｂ）実施形態３では、上述のアークのスタート性の向上に加えて、アーク発生中に出力電流（アーク電流）が電流基準値より低くなったとき、アーク切れと判別しブリーダ抵抗に流れるブリーダ電流が停止するので、無負荷電圧がすばやく高くなり、アーク切れが発生しても再アークが容易に発生する。
【符号の説明】
【００４０】
Ｃ１        平滑コンデンサ
Ｃ２        充放電コンデンサ
ＤＬ        直流リアクトル
Ｄ３        放電ダイオード
ＤＲ１      １次整流回路
ＤＲ２      ２次整流回路
ＩＤ        出力電流検出回路
Ｉｄ        出力電流検出信号
ＩＮＴ      主変圧器
ＩＮＶ      インバータ回路
ＶＤ        出力電圧検出回路
Ｖｄ        出力電圧検出信号
Ｍ          被加工物
Ｒ１        ブリーダ抵抗
ＳＣ        主制御回路
Ｓｃ        主制御信号
Ｓｄ        モータ駆動信号
ＳＣＲ      充電用スイッチング素子
Ｓｃｒ      充電制御信号
ＳＷ１      無負荷用スイッチ
ＴＨ        トーチ
ＶＭ        送給モータ
ＷＷ        溶接ワイヤ
【図１】
2014110710.tif 000003
【図２】
2014110710.tif 000004
【図３】
2014110710.tif 000005
【図４】
2014110710.tif 000006
【図５】
2014110710.tif 000007
【図６】
2014110710.tif 000008